(57)【要約】【課題】  待機状態から電源が遮断されても給紙台や排紙台の片付けを行うことができ、作業効率の向上を図ることができるとともに、電源再投入による電力の無駄を抑制できる印刷装置を提供する。【解決手段】  装置本体が待機状態となったら、制御手段は所定の時間が経過したかどうかをチェックする（Ｓ１）。所定時間が経過したら、次に給紙台が収納可能な下限位置（ホームポジション）にあるかどうかをチェックする（Ｓ２）。下限位置にある場合には続いて排紙台のエンドフェンス、サイドフェンスがそれぞれ収納可能なホームポジションにあるかどうかをチェックする（Ｓ３）。エンドフェンス及びサイドフェンスのいずれもがホームポジションにある場合には、制御手段は電源スイッチをオフにする（Ｓ４）。【選択図】      図６
2006327699.tif 000002
【特許請求の範囲】
【請求項１】
所定の時間が経過しても印刷指示がなされなかった場合に電源を自動的に遮断する制御手段と、収納位置としてのホームポジションを有し前記制御手段により制御される収納可能部材とを備えた印刷装置において、
前記制御手段は電源を遮断する前に、前記収納可能部材を前記ホームポジションに位置付けることを特徴とする印刷装置。
【請求項２】
請求項１に記載の印刷装置において、
前記制御手段は、前記収納可能部材を前記ホームポジションに位置付ける前に、前記収納可能部材を前記ホームポジションに位置付けるか否かを表示し、前記収納可能部材を前記ホームポジションに位置付けるか否かを選択可能であることを特徴とする印刷装置。
【請求項３】
請求項１又は２に記載の印刷装置において、
前記収納可能部材が、記録媒体を収容し昇降可能な給送台であることを特徴とする印刷装置。
【請求項４】
請求項１に記載の印刷装置において、
前記収納可能部材が、印刷工程を終えた記録媒体が収容される排出台に記録媒体の搬送方向に移動可能に設けられ前記制御手段により制御されるエンドフェンスと、前記排出台に記録媒体の搬送方向と直交する記録媒体幅方向に移動可能に設けられ前記制御手段により制御されるサイドフェンスの少なくとも一方であることを特徴とする印刷装置。
【請求項５】
請求項４に記載の印刷装置において、
前記制御手段は、前記収納可能部材を前記ホームポジションに位置付ける前に、前記収納可能部材を前記ホームポジションに位置付けるか否かを表示し、前記収納可能部材を前記ホームポジションに位置付けるか否かを選択可能であることを特徴とする印刷装置。
【請求項６】
請求項４に記載の印刷装置において、
前記排出台上の記録媒体を検知する記録媒体検知手段を有し、前記制御手段は電源を遮断する前に、前記排出台上に記録媒体が存在するか否かを前記記録媒体検知手段からの情報により判断し、記録媒体が存在する場合にはその旨の表示を行うことを特徴とする印刷装置。
【請求項７】
請求項６に記載の印刷装置において、
前記排出台上から記録媒体が取り除かれたことが確認された場合、前記制御手段は前記収納可能部材を前記ホームポジションに位置付けた後電源を遮断することを特徴とする印刷装置。
【請求項８】
請求項６に記載の印刷装置において、
前記表示に基づいて電源を遮断するか否かを選択可能であることを特徴とする印刷装置。
【請求項９】
請求項８に記載の印刷装置において、
電源を遮断しない旨の選択がなされた場合、そのままの状態を維持することを特徴とする印刷装置。
【発明の詳細な説明】
【技術分野】
【０００１】
本発明は、孔版印刷装置等の印刷装置に関し、詳しくは、所定の時間が経過しても印刷指示がなされなかった場合に電源を自動的に遮断する制御機能を有する印刷装置に関する。
【背景技術】
【０００２】
消費電力を極力抑制する観点から、印刷終了後に待機状態となったとき、所定の時間が経過しても印刷指示がなされなかった場合、自動的に電源（メインスイッチ）をオフにする制御機能（電源オフモード）を有する印刷装置が知られている。所定の時間としては、グリーン購入法では５分と決められている。
この種の印刷装置では、印刷用紙が積載収容される給紙台は大量給紙に対応すべく昇降自在に設けられている。また、印刷終了後の印刷用紙をスタックする排紙台は、印刷用紙のサイズに拘わらず排紙揃えを一定にするために、エンドフェンスやサイドフェンスを備えており、これらのエンドフェンスやサイドフェンスは制御手段により移動機構を介して印刷用紙のサイズ情報に基づいて自動的に位置を調整されるようになっている。
一般に、給紙台や排紙台は装置本体から略水平方向に突出して装置本体の嵩張り(出っ張り)を大きくする存在であるため、安全性等の観点から作業終了後は折り畳んだり、装置本体内に押し込んで収納したりする片付け作業が慣習的に行われている。
【０００３】
給紙台の収納（折り畳みの概念を含む）できる初期位置（ホームポジション）は決められており、昇降過程の任意の位置で収納することはできないようになっている。
また、排紙台におけるエンドフェンス、サイドフェンスも収納（折り畳みの概念を含む）できる初期位置（ホームポジション）は決められており、移動方向の任意の位置では収納できないようになっている。
このような給紙台、排紙台の構成において、従来においては、装置の状態がどうなっているか考慮することなく電源オフモードを実行していた。
【０００４】
【特許文献１】特開昭６３−６７６０２号公報
【特許文献２】特開平８−３０８１０９号公報
【発明の開示】
【発明が解決しようとする課題】
【０００５】
印刷装置本体が待機状態の場合、給紙台は次の印刷を速やかに行うため、途中で停止している。この状態で電源オフモードが実行されると、給紙台が途中で止まっているために、給紙台を収納することはできない。オペレータが片付けを行うには、再度電源を入れ、給紙台下降スイッチにて下限位置（ホームポジション）まで下降させて収納する必要があり、面倒であるとともに、無駄な電力を消費していた。
【０００６】
排紙台においても同様で、例えばＡ４サイズの印刷用紙で印刷した後、待機状態となり、電源オフモードが実行されると、エンドフェンス、サイドフェンスがホームポジションにないために収納できない。オペレータが片付けを行うには、再度電源を入れ、エンドフェンス、サイドフェンスをホームポジションに移動させてから収納する（折り畳む）必要があり、面倒であるとともに、無駄な電力を消費していた。
また、排紙台に印刷用紙が残っている場合には、電源オフモードが実行されているため、オペレータが印刷用紙を取り除いても、上記と同様に電源再投入による片付け作業が必要であった。
【０００７】
本発明は、待機状態から電源が遮断されても給紙台や排紙台の片付けを行うことができ、作業効率の向上を図ることができるとともに、電源再投入による電力の無駄を抑制できる印刷装置の提供を、その主な目的とする。
【課題を解決するための手段】
【０００８】
上記目的を達成するために、請求項１に記載の発明では、所定の時間が経過しても印刷指示がなされなかった場合に電源を自動的に遮断する制御手段と、収納位置（折り畳み位置の概念を含む）としてのホームポジションを有し前記制御手段により制御される収納可能部材とを備えた印刷装置において、前記制御手段は電源を遮断する前に、前記収納可能部材を前記ホームポジションに位置付けることを特徴とする。
【０００９】
請求項２に記載の発明では、請求項１に記載の印刷装置において、前記制御手段は、前記収納可能部材を前記ホームポジションに位置付ける前に、前記収納可能部材を前記ホームポジションに位置付けるか否かを表示し、前記収納可能部材を前記ホームポジションに位置付けるか否かを選択可能であることを特徴とする。
【００１０】
請求項３に記載の発明では、請求項１又は２に記載の印刷装置において、前記収納可能部材が、記録媒体を収容し昇降可能な給送台であることを特徴とする。
【００１１】
請求項４に記載の発明では、請求項１に記載の印刷装置において、前記収納可能部材が、印刷工程を終えた記録媒体が収容される排出台に記録媒体の搬送方向に移動可能に設けられ前記制御手段により制御されるエンドフェンスと、前記排出台に記録媒体の搬送方向と直交する記録媒体幅方向に移動可能に設けられ前記制御手段により制御されるサイドフェンスの少なくとも一方であることを特徴とする。
【００１２】
請求項５に記載の発明では、請求項４に記載の印刷装置において、前記制御手段は、前記収納可能部材を前記ホームポジションに位置付ける前に、前記収納可能部材を前記ホームポジションに位置付けるか否かを表示し、前記収納可能部材を前記ホームポジションに位置付けるか否かを選択可能であることを特徴とする。
【００１３】
請求項６に記載の発明では、請求項４に記載の印刷装置において、前記排出台上の記録媒体を検知する記録媒体検知手段を有し、前記制御手段は電源を遮断する前に、前記排出台上に記録媒体が存在するか否かを前記記録媒体検知手段からの情報により判断し、記録媒体が存在する場合にはその旨の表示を行うことを特徴とする。
【００１４】
請求項７に記載の発明では、請求項６に記載の印刷装置において、前記排出台上から記録媒体が取り除かれたことが確認された場合、前記制御手段は前記収納可能部材を前記ホームポジションに位置付けた後電源を遮断することを特徴とする。
【００１５】
請求項８に記載の発明では、請求項６に記載の印刷装置において、前記表示に基づいて電源を遮断するか否かを選択可能であることを特徴とする。
【００１６】
請求項９に記載の発明では、請求項８に記載の印刷装置において、電源を遮断しない旨の選択がなされた場合、そのままの状態を維持することを特徴とする。
【発明の効果】
【００１７】
本発明によれば、自動で電源を遮断する前に、前処理として給紙台等の収納可能部材をその収納可能な位置（ホームポジション）に移動させてから遮断するので、電源再投入をすることなく給紙台等を収納することができ、作業後の片付け作業を効率的に行うことができるとともに、無駄な電源消費を抑制できる。
また、収納可能部材のホームポジションへの移動をするか否かの選択をすることができるので、作業状況に応じた装置状態を得ることができ、勝手に電源オフすることによる煩わしい電源再投入作業を不要にでき、作業効率を向上させることができる。
また、省電力モード（電源オフモード）への移行時間を短くしたとき、使用中（又は準備中）の不用意なモード移行を防止できる。
【発明を実施するための最良の形態】
【００１８】
以下、本発明の第１の実施形態を図１乃至図６に基づいて説明する。
まず、図１に基づいて、本実施形態における印刷装置としての孔版印刷装置の全体構成及び孔版印刷プロセスの概要を説明する。
装置本体５０の上部にはＡＤＦ機能を備えた原稿読取部８０が設けられており、その下方中央部には多孔性の印刷ドラム（版胴）１０１を有する印刷ドラム部１００が設けられている。印刷ドラム部１００の上方右側には製版装置９０が設けられ、印刷ドラム部１００の上方左側には排版装置７０が設けられている。また、製版装置９０の下方には給紙装置１１０が、印刷ドラム部１００の下方には印圧部１２０が、排版装置７０の下方には排紙部１３０が、それぞれ設けられている。
【００１９】
次に、上記構成に係る孔版印刷装置の印刷動作を説明する。
まず、原稿読取部８０の上部に配置された図示しない原稿台に、印刷すべき画像を持った原稿を載置し、操作パネル２１（図５参照）上の製版スタートキーを押す。この製版スタートキーの押下に伴い、まず排版工程が実行される。すなわち、この状態においては、印刷ドラム部１００の印刷ドラム１０１の外周面に前回の印刷で使用された使用済みマスタ６１ｂが装着されたまま残っている。
【００２０】
印刷ドラム１０１が反時計回りに回転し、印刷ドラム１０１の外周面の使用済みマスタ６１ｂの後端部が排版剥離ローラ対７１ａ、７１ｂに近づくと、この排版剥離ローラ対７１ａ、７１ｂは回転しつつ一方の排版剥離ローラ対７１ａで使用済みマスタ６１ｂの後端部をすくい上げる。
使用済みマスタ６１ｂは、排版剥離ローラ対７１ａ、７１ｂの左側に配設された排版コロ対７３ａ、７３ｂと排版剥離ローラ対７１ａ、７１ｂとの間に掛け回された排版搬送ベルト対７２ａ、７２ｂで矢印Ｙ１方向へ搬送されつつ排版ボックス７４内へ排出され、印刷ドラム１０１の外周面から引き剥がされて排版工程が終了する。このとき、印刷ドラム１０１は反時計回り方向への回転を続けている。剥離・排出された使用済みマスタ６１ｂは、その後、圧縮板７５により排版ボックス７４の内部で圧縮される。
【００２１】
排版工程と並行して、原稿読取部８０で原稿読み取りが行われる。図示しない画像センサで光電変換された電気信号は、装置本体５０内の図示しないアナログ／デジタル（Ａ／Ｄ）変換基板に入力され、デジタル画像信号に変換される。
この画像読み取り動作と並行して、デジタル信号化された画像情報に基づき製版及び給版工程が行われる。
製版装置９０の所定部位にセットされたロール状の未製版のマスタ６１は、ロール状態から引き出され、記録デバイスとしてのサーマルヘッド９１にマスタ６１を介して押圧されているプラテンローラ９２、及びテンションローラ対９３ａ、９３ｂの回転により搬送路の下流側に搬送される。
このように搬送されるマスタ６１に対して、サーマルヘッド９１にライン状に並んだ複数個の微小な発熱抵抗体が、図示しないＡ／Ｄ変換基板から送られてくるデジタル画像信号に応じて各々選択的に発熱し、発熱した発熱抵抗体に接触しているマスタ６１の熱可塑性樹脂フィルムが溶融穿孔される。
このように、画像情報に応じたマスタ６１の位置選択的な溶融穿孔により、画像情報が穿孔パターンとして書き込まれる。
【００２２】
画像情報が書き込まれた製版済みマスタ６１ａの先端は、給版ローラ対９４ａ、９４ｂにより印刷ドラム１０１の外周部側へ向かって送り出され、図示しないガイド部材により進行方向を下方へ変えられ、図示する給版位置状態にある印刷ドラム１０１の拡開したマスタクランパ１０２（仮想線で示す）へ向かって垂れ下がる。このとき印刷ドラム１０１は、排版工程により使用済みマスタ６１ｂを既に除去されている。
【００２３】
製版済みマスタ６１ａの先端が、一定のタイミングでマスタクランパ１０２によりクランプされると、印刷ドラム１０１は図中Ａ方向（時計回り方向）に回転しつつ外周面に製版済みマスタ６１ａを徐々に巻き付けていく。製版済みマスタ６１ａの後端部はカッタ９５により一定の長さに切断される。
【００２４】
一版の製版済みマスタ６１ａが印刷ドラム１０１の外周面に巻装されると製版及び給版工程が終了し、印刷工程が開始される。まず、給送台としての且つ収納可能部材としての給紙台５１上に積載されたシート状記録媒体としての印刷用紙６２のうちの最上位の１枚が、給紙コロ１４０によりレジストローラ対１４２に向けて矢印Ｙ４方向に送り出され、さらにレジストローラ対１４２によりドラム部１００の回転と同期した所定のタイミングで印圧部（画像転写部位）１２０に送られる。送り出された印刷用紙６２が、印刷ドラム１０１と押圧部材としてのプレスローラ１０３との間にくると、印刷ドラム１０１の外周面下方に離間していたプレスローラ１０３が図示しない印圧付与機構により上方に移動されることにより、印刷ドラム１０１の外周面に巻装された製版済みマスタ６１ａに押圧される。
こうして、印刷ドラム１０１の開孔部及び製版済みマスタ６１ａの穿孔パターン部（共に図示せず）からインキが滲み出し、この滲み出たインキが印刷用紙６２の表面に転移して印刷画像が形成される。この給版工程後の１枚目の印刷を版付けと呼ぶ場合もある。
【００２５】
印刷ドラム１０１の内周側では、インキ供給管１０４からインキローラ１０５とドクターローラ１０６との間に形成されたインキ溜り１０７にインキが供給され、印刷ドラム１０１の回転方向と同一方向に、且つ、印刷ドラム１０１の回転速度と同期して回転しながら内周面に転接するインキローラ１０５により、インキが印刷ドラム１０１の内周側に供給される。
プレスローラ１０３はインキローラ１０５と対向する位置をもって印刷ドラム１０１の外部に配置されている。
【００２６】
印圧部１２０において印刷画像が形成された印刷用紙６２は、分離爪１１４により印刷ドラム１０１から分離され、吸着用ファン１１８を有する記録媒体受け手段としての吸着搬送装置１１９に吸引されて搬送される。具体的には、吸着搬送装置１１９の吸着排紙入口ローラ１１５及び吸着排紙出口ローラ１１６に掛け渡された搬送ベルト１１７の反時計回り方向の回転により、該搬送ベルト１１７に密着して矢印Ｙ５のように排紙部１３０へ向かって搬送され、排出台としての排紙台５２上に順次排出積載される。このようにして所謂試し刷りが終了する。
次に、図示しないテンキーで印刷枚数をセットし、図示しない印刷スタートキーを押下すると上記試し刷りと同様の工程で、給紙、印刷及び排紙の各工程がセットした印刷枚数分繰り返して行なわれ、孔版印刷の全工程が終了する。
【００２７】
図２は、孔版印刷装置の全体外観図である。図１では省略したが、装置本体５０の下部にはキャスターを有するボックス状の脚部１０が設けられている。また、給紙台５１には印刷用紙６２の給紙方向（搬送方向）と直交する用紙幅方向に移動可能な手動型のサイドフェンス１１が設けられている。
給紙台５１は、図示しない昇降機構により上下方向に移動可能となっており、後述する制御手段３７によりその移動を制御される。給紙台５１は図２に示すホームポジションＰ１を有しており、ホームポジションＰ１においてのみ、サイドフェンス１１を折り畳んだ状態で装置本体５０内に押し込んで収納可能となっている。
【００２８】
排紙台５２には印刷用紙６２の排出方向の位置を規制する収納可能部材としてのエンドフェンス１２が設けられている。エンドフェンス１２は、図示しない移動機構により印刷用紙６２の搬送方向に移動可能となっており、後述する制御手段３７によりその移動を制御される。
また、排紙台５２には収納可能部材としての一対のサイドフェンス１３、１３が設けられている。サイドフェンス１３、１３は、図示しない移動機構により印刷用紙６２の搬送方向と直交する用紙幅方向に同期移動可能となっており、後述する制御手段３７によりその移動を制御される。
給紙台５１の中央部位には給紙台５１上の印刷用紙６２の有無を検知する記録媒体検知手段としての用紙検知センサ１５が設けられている。用紙検知センサ１５としては、例えば反射型フォトセンサを使用できる。
【００２９】
図３に示すように、エンドフェンス１２は最大用紙サイズに対応したホームポジションＰ２を有しており、ホームポジションＰ２においてのみ排紙台５２上において内方に折り畳むことができるようになっている。
各サイドフェンス１３は最大用紙サイズに対応したホームポジションＰ３を有しており、ホームポジションＰ３においてのみ排紙台５２上において内方に折り畳むことができるようになっている。
また、排紙台５２自体もヒンジ１４を介して上方に回動して折り畳むことができるようになっている。
図４は、給紙台５１をホームポジションＰ１にて装置本体５０内に押し込んで収納し、且つ、エンドフェンス１２をホームポジションＰ２で折り畳むとともに、一対のサイドフェンス１３、１３をホームポジションＰ３で折り畳んだ状態で排紙台５２を上方に回動して折り畳んだ状態を示している。
【００３０】
図５は制御ブロック図である。給紙台５１、エンドフェンス１２及びサイドフェンス１３の位置制御は、制御手段３７によって行われる。制御手段３７は、図示しないＩ／Ｏインターフェース、ＣＰＵ、ＲＯＭ、ＲＡＭ等を有するマイクロコンピュータであり、操作パネル２１による設定情報が入力される。
制御手段３７による制御回路３６の制御により、電源スイッチ３１を自動的にオフ可能となっている。
【００３１】
本実施形態における制御動作を図６のフローチャートに基づいて説明する。
装置本体５０が待機状態となったら、制御手段３７は所定の時間である５分（一例）が経過したかどうかを図示しないタイマーを管理してチェックする（Ｓ１）。５分が経過したら、次に給紙台５１が収納可能な下限位置（ホームポジションＰ１）にあるかどうかをチェックする（Ｓ２）。下限位置にある場合には続いて排紙台５２のエンドフェンス１２、サイドフェンス１３がそれぞれホームポジションＰ２、Ｐ３にあるかどうかをチェックする（Ｓ３）。
エンドフェンス１２及びサイドフェンス１３のいずれもがホームポジションにある場合には、制御手段３７は制御回路３６を制御して電源スイッチ３１をオフにする（Ｓ４）。すなわち、給紙台５１、エンドフェンス１２及びサイドフェンス１３が収納可能な位置（ホームポジション）にある場合には、無条件に電源遮断を行う。
【００３２】
Ｓ３において、エンドフェンス１２、サイドフェンス１３がホームポジションにない場合には、制御手段３７はそれらをホームポジションに位置付ける制御を行った後（Ｓ５）、制御回路３６を制御して電源スイッチ３１をオフにする（Ｓ４）。
Ｓ２において、給紙台５１が下限位置にない場合には、制御手段３７は給紙台５１を下降させ、下限位置で停止させる制御を行う（Ｓ６）。すなわち、給紙台５１が下限位置にない場合には給紙台５１上の印刷用紙６２の有無に関係なく自動的に下降させて下限位置で停止させる。続いて排紙台５２のエンドフェンス１２、サイドフェンス１３がそれぞれホームポジションＰ２、Ｐ３にあるかどうかをチェックする（Ｓ７）。
エンドフェンス１２及びサイドフェンス１３のいずれもがホームポジションにある場合には、制御手段３７は制御回路３６を制御して電源スイッチ３１をオフにする（Ｓ８）。
Ｓ７において、エンドフェンス１２、サイドフェンス１３がホームポジションにない場合には、制御手段３７はそれらをホームポジションに位置付ける制御を行った後（Ｓ９）、制御回路３６を制御して電源スイッチ３１をオフにする（Ｓ８）。
このような制御とすることにより、電源が遮断された後でも給紙台５１及び排紙台５２の収納（片付け）が電源再投入をすることなく可能となる。
【００３３】
図７及び図８に基づいて第２の実施形態を説明する。なお上記実施形態と同一部分は同一符号で示し、特に必要がない限り既にした構成上及び機能上の説明は省略して要部のみ説明する（以下の他の実施形態において同じ）。
図７のフローチャートに示すように、装置本体５０が待機状態となったら、制御手段３７は所定の時間である５分が経過したかどうかを図示しないタイマーを管理してチェックする（Ｓ１０）。５分が経過したら、次に給紙台５１が収納可能な下限位置（ホームポジションＰ１）にあるかどうかをチェックする（Ｓ１１）。
【００３４】
下限位置にある場合には続いて排紙台５２上に印刷用紙６２があるかどうかを用紙検知センサ１５からの検知情報に基づいて判断し（Ｓ１２）、ない場合には続いて排紙台５２のエンドフェンス１２、サイドフェンス１３がそれぞれホームポジションＰ２、Ｐ３にあるかどうかをチェックする（Ｓ１３）。
エンドフェンス１２及びサイドフェンス１３のいずれもがホームポジションにある場合には、制御手段３７は制御回路３６を制御して電源スイッチ３１をオフにする（Ｓ１４）。
Ｓ１３において、エンドフェンス１２、サイドフェンス１３がホームポジションにない場合には、制御手段３７はそれらをホームポジションに位置付ける制御を行った後（Ｓ１５）、制御回路３６を制御して電源スイッチ３１をオフにする（Ｓ１４）。
Ｓ１１において、給紙台５１が下限位置にない場合には、制御手段３７は給紙台５１を下降させ、下限位置で停止させる制御を行う（Ｓ１６）。
【００３５】
Ｓ１２において、排紙台５２に印刷用紙６２が存在する場合には、エンドフェンス１２、サイドフェンス１３を折り畳むことができない。この場合、制御手段３７は、図８に示すように、操作パネル２１のタッチパネル方式の液晶表示部２１ａにおいて、例えば「自動電源オフモードです。排紙台に用紙があります電源遮断しますか？」なる旨の表示を行い、オペレータに打診してＹＥＳキー１６ａ、ＮＯキー１６ｂにより選択をさせる（Ｓ１７）。
オペレータがＹＥＳキー１６ａを押下した場合には、排紙台５２のエンドフェンス１２、サイドフェンス１３がそれぞれホームポジションＰ２、Ｐ３にあるかどうかをチェックする（Ｓ１８）。
エンドフェンス１２及びサイドフェンス１３のいずれもがホームポジションにある場合には、制御手段３７は制御回路３６を制御して電源スイッチ３１をオフにする（Ｓ１４）。
Ｓ１８において、エンドフェンス１２、サイドフェンス１３がホームポジションにない場合には、制御手段３７はそれらをホームポジションに位置付ける制御を行った後（Ｓ１９）、制御回路３６を制御して電源スイッチ３１をオフにする（Ｓ１４）。
排紙台５２をそのままの状態にして作業を行う場合には、オペレータはＮＯキー１６ｂを押下する。
【００３６】
図９及び図１０に基づいて第３の実施形態を説明する。
第２の実施形態では、「自動電源オフモードです。排紙台に用紙があります電源遮断しますか？」なる旨の表示を行い、オペレータに打診してＹＥＳ又はＮＯの選択をさせるようにしたが、本実施形態では、排紙台５２上に印刷用紙６２があることが確認された場合、制御手段３７は図１０に示すように、操作パネル２１のタッチパネル方式の液晶表示部２１ａにおいて、「自動電源オフモードです。排紙台に用紙があります。」なる旨の表示を行う（Ｓ２０）。
その後排紙台５２から印刷用紙６２が取り除かれたかどうかをチェックし（Ｓ２１）、取り除かれた場合には、排紙台５２のエンドフェンス１２、サイドフェンス１３がそれぞれホームポジションＰ２、Ｐ３にあるかどうかをチェックする（Ｓ２２）。
エンドフェンス１２及びサイドフェンス１３のいずれもがホームポジションにある場合には、制御手段３７は制御回路３６を制御して電源スイッチ３１をオフにする（Ｓ１４）。
Ｓ２２において、エンドフェンス１２、サイドフェンス１３がホームポジションにない場合には、制御手段３７はそれらをホームポジションに位置付ける制御を行った後（Ｓ２３）、制御回路３６を制御して電源スイッチ３１をオフにする（Ｓ１４）。
【００３７】
図１１乃至図１３に基づいて第４の実施形態を説明する。
図１１のフローチャートに示すように、装置本体５０が待機状態となったら、制御手段３７は所定の時間である５分が経過したかどうかを図示しないタイマーを管理してチェックする（Ｓ３１）。５分が経過したら、次に給紙台５１が収納可能な下限位置（ホームポジションＰ１）にあるかどうかをチェックする（Ｓ３２）。下限位置にある場合には続いて排紙台５２のエンドフェンス１２、サイドフェンス１３がそれぞれホームポジションＰ２、Ｐ３にあるかどうかをチェックする（Ｓ３３）。
エンドフェンス１２及びサイドフェンス１３のいずれもがホームポジションにある場合には、制御手段３７は制御回路３６を制御して電源スイッチ３１をオフにする（Ｓ３４）。
Ｓ３２において、給紙台５１が下限位置にない場合には、制御手段３７は、図１２に示すように、操作パネル２１のタッチパネル方式の液晶表示部２１ａにおいて、例えば「自動電源オフモードです。給紙台を下降させますか？」なる旨の表示を行い、オペレータに打診してＹＥＳキー１６ａ、ＮＯキー１６ｂにより選択をさせる（Ｓ３５）。
【００３８】
オペレータがＹＥＳキー１６ａを押下した場合には、給紙台５１を下降させて下限位置で停止させる（Ｓ３６）。
給紙台５１をそのままの状態にして作業を行う場合には、オペレータはＮＯキー１６ｂを押下する。
Ｓ３３において、エンドフェンス１２、サイドフェンス１３がホームポジションにない場合には、制御手段３７は、図１３に示すように、操作パネル２１のタッチパネル方式の液晶表示部２１ａにおいて、例えば「自動電源オフモードです。排紙台フェンスを移動させますか？」なる旨の表示を行い、オペレータに打診してＹＥＳキー１６ａ、ＮＯキー１６ｂにより選択をさせる（Ｓ３７）。オペレータがＹＥＳキー１６ａを押下した場合には、エンドフェンス１２、サイドフェンス１３をそれぞれのホームポジションに移動させて停止させ（Ｓ３８）、その後制御回路３６を制御して電源スイッチ３１をオフにする（Ｓ３４）。
【００３９】
上述した制御において、第１の実施形態で示した制御フロー（シンプルタイプ）と、第２、３、４で示した制御フロー（打診タイプ）は操作パネル２１上の図示しないキーによりユーザの好みに応じて切り替えることができるようになっている。
上記各実施形態では、給紙台５１において、サイドフェンス１１を折り畳んで収納する構成としたが、サイドフェンス１１が立った状態で収納できるようにしてもよい。また、給紙台５１は、サイドフェンス１１を立てた状態であるいは折り畳んだ状態で上方に回動して収納できる構成としてもよい。
また、大量排紙に対応すべく排紙台５２自体も昇降可能とし、ホームポジションを有する構成としてもよい。この場合にも同様に制御することができる。
【図面の簡単な説明】
【００４０】
【図１】本発明の第１の実施形態における孔版印刷装置の概要正面図である。
【図２】孔版印刷装置の外観図である。
【図３】排紙台におけるエンドフェンス及びサイドフェンスのホームポジションを示す概要平面図である。
【図４】給紙台と排紙台を収納した状態の孔版印刷装置の外観図である。
【図５】制御ブロック図である。
【図６】制御動作を示すフローチャートである。
【図７】第２の実施形態における制御動作を示すフローチャートである。
【図８】第２の実施形態における操作パネル上の打診表示を示す要部平面図である。
【図９】第３の実施形態における制御動作を示すフローチャートである。
【図１０】第３の実施形態における操作パネル上の打診表示を示す要部平面図である。
【図１１】第４の実施形態における制御動作を示すフローチャートである。
【図１２】第４の実施形態における操作パネル上の打診表示を示す要部平面図である。
【図１３】第４の実施形態における操作パネル上の打診表示を示す要部平面図である。
【符号の説明】
【００４１】
１２  収納可能部材としてのエンドフェンス
１３  収納可能部材としてのサイドフェンス
１５  記録媒体検知手段としての用紙検知センサ
３７  制御手段
５１  収納可能部材としての給紙台
５２  排出台としての排紙台
Ｐ１、Ｐ２、Ｐ３  ホームポジション
【図１】
2006327699.tif 000003
【図２】
2006327699.tif 000004
【図３】
2006327699.tif 000005
【図４】
2006327699.tif 000006
【図５】
2006327699.tif 000007
【図６】
2006327699.tif 000008
【図７】
2006327699.tif 000009
【図８】
2006327699.tif 000010
【図９】
2006327699.tif 000011
【図１０】
2006327699.tif 000012
【図１１】
2006327699.tif 000013
【図１２】
2006327699.tif 000014
【図１３】
2006327699.tif 000015